(57)【要約】  水と、少なくとも１つの炭化水素溶媒と、少なくとも１つの非イオン性乳化剤と、少なくとも１つの凍結融解安定剤とを含み、少なくとも１つの凍結融解安定剤は、凍結融解サイクル後での乳濁液の破壊を防ぐか、又は凍結融解サイクル後の破壊に続いて、乳化組成物を簡単に振ることにより乳濁液の再形成を可能にする、凍結融解安定性を有する油中水（Ｗ／Ｏ）型乳化組成物が提供される。好ましい凍結融解安定剤は、ポリオール（例えば、グリセリン）、糖（例えば、スクロース）、極性非プロトン性溶媒（例えば、ジメチルスルホキシド）及び両性化合物（例えば、ラウリルジメチルアミンオキシド）である。凍結融解安定剤は、水と、炭化水素溶媒と、非イオン性乳化剤と、皮膜形成剤、界面活性剤、香料成分及び防腐剤などの添加剤と、を含む、家具ケア、靴ケア、車ケアを洗浄及び／又は研磨するための製品に特に有用である。
2021502894.tif 000002
【特許請求の範囲】
【請求項１】
油中水（Ｗ／Ｏ）型乳化組成物であって、
（ａ）少なくとも１つの炭化水素溶媒と、
（ｂ）ポリオール、糖、極性非プロトン性溶媒、及び両性化合物のうちの１つ以上を含む、少なくとも１つの凍結融解安定剤と、
（ｃ）少なくとも１つの非イオン性乳化剤と、
（ｄ）水と、を含み、
（ａ）、（ｂ）、（ｃ）及び（ｄ）は、水相が油相に均一に分散しているＷ／Ｏ型乳化組成物を形成するために十分な量で存在し、
前記少なくとも１つの凍結融解安定剤は、（１）凍結融解サイクルにさらされたときに前記乳化組成物が壊れるのを防ぐか、又は（２）凍結融解サイクルでの破壊後の乳化組成物を振ることにより乳化組成物を再形成するために十分な量で存在する、Ｗ／Ｏ型乳化組成物。
【請求項２】
前記少なくとも１つの凍結融解安定剤が、グリセリン、ソルビトール、エチレングリコール、マルチトール、スクロース、グルコース、ジメチルスルホキシド及びラウリルジメチルアミンオキシドのうちの１つ以上である、請求項１に記載のＷ／Ｏ型乳化組成物。
【請求項３】
前記炭化水素溶媒が、飽和炭化水素溶媒又は不飽和炭化水素溶媒である、請求項１に記載のＷ／Ｏ型乳化組成物。
【請求項４】
前記非イオン性乳化剤が、約２から約６のＨＬＢ値を有する、請求項１に記載のＷ／Ｏ型乳化組成物。
【請求項５】
前記少なくとも１つの炭化水素溶媒が、約３から約４０重量％の量で存在し、前記少なくとも１つの凍結融解安定剤が、約０．０１から約１０重量％の量で存在し、前記少なくとも１つの非イオン性乳化剤が、約０．０１から約５重量％の量で存在し、前記水が、前記組成物の１００重量％までの残部である、請求項１に記載のＷ／Ｏ型乳化組成物。
【請求項６】
前記組成物が、家具ケア製品、靴ケア製品、又は車ケア製品に含まれている、請求項１に記載のＷ／Ｏ型乳化組成物。
【請求項７】
家具ケア製品、靴ケア製品、又は車ケア製品であって、
（ａ）少なくとも１つの炭化水素溶媒と、
（ｂ）少なくとも１つの非イオン性乳化剤と、
（ｃ）ポリオール、糖、極性非プロトン性溶媒、及び両性界面活性剤のうちの１つ以上を含む、少なくとも１つの凍結融解安定剤と、
（ｄ）皮膜形成剤成分、界面活性剤、溶媒、香料成分、防腐剤、及び着色剤のうちの１つ以上と、
（ｅ）水と、を含み、
（ａ）、（ｂ）、（ｃ）、（ｄ）及び（ｅ）は、水相が油相中に均一に分散しているＷ／Ｏ型乳化組成物を形成するために十分な量で存在し、
前記少なくとも１つの凍結融解安定剤は、（１）凍結融解サイクルにさらされたときに前記乳化組成物が壊れるのを防ぐか、又は（２）凍結融解サイクルでの破壊後の乳化組成物を振ることにより乳化組成物を再形成するために十分な量で存在する、製品。
【請求項８】
前記少なくとも１つの凍結融解安定剤が、グリセリン、ソルビトール、エチレングリコール、マルチトール、スクロース、グルコース、ジメチルスルホキシド、及びラウリルジメチルアミンオキシドのうちの１つ以上である、請求項７に記載の製品。
【請求項９】
前記炭化水素溶媒が、飽和炭化水素溶媒又は不飽和炭化水素溶媒である、請求項７に記載の製品。
【請求項１０】
前記非イオン性乳化剤が、約２から約６のＨＬＢ値を有する、請求項７に記載の製品。
【請求項１１】
前記少なくとも１つの炭化水素溶媒が、約３から約４０重量％の量で存在し、前記少なくとも１つの凍結融解安定剤が、約０．０１から約１０重量％の量で存在し、前記少なくとも１つの非イオン性乳化剤が、約０．０１から約５重量％の量で存在し、（ｄ）の成分が、約０．００１から約２０重量％の量で存在し、前記水が、前記製品の１００重量％までの残部である、請求項７に記載の製品。
【請求項１２】
エアロゾルの家具ケア製品、靴ケア製品、又は車ケア製品であって、
（ａ）圧縮ガス又はＬＰＧ噴射剤を含む噴射剤と、
（ｂ）油中水（Ｗ／Ｏ）型乳濁液であって、
（１）少なくとも１つの炭化水素溶媒と、
（２）約２から約６のＨＬＢ値を有する、少なくとも１つの非イオン性乳化剤と、
（３）ポリオール、糖、極性非プロトン性溶媒及び両性界面活性剤のうちの１つ以上を含む、少なくとも１つの凍結融解安定剤と、
（４）水と、
（５）任意に皮膜形成剤、溶媒、界面活性剤、香料成分、防腐剤、着色剤のうちの１つ以上と、を含む乳濁液と、を含み、
前記噴射剤及び前記Ｗ／Ｏ型乳濁液は、合計１００重量％の量で存在し、
前記凍結融解安定剤は、（１）凍結融解サイクルにさらされたときの前記乳濁液の破壊を防ぐか、又は（２）凍結融解サイクルでの破壊後の前記Ｗ／Ｏ型乳濁液を振ることにより、前記Ｗ／Ｏ型乳濁液の再形成を可能にするために十分な量で存在する、製品。
【請求項１３】
前記少なくとも１つの凍結融解安定剤が、グリセリン、エチレングリコール、ソルビトール、マルチトール、スクロース、グルコース、ジメチルスルホキシド及びラウリルジメチルアミンオキシドのうちの１つ以上である、請求項１２に記載の製品。
【請求項１４】
前記炭化水素溶媒が、飽和炭化水素溶媒又は不飽和炭化水素溶媒である、請求項１２に記載の製品。
【請求項１５】
前記噴射剤が約０．１から約２５重量％の量で存在し、前記少なくとも１つの炭化水素溶媒が約３から約４０重量％の量で存在し、前記少なくとも１つの凍結融解安定剤が約０．０１から約１０重量％の量で存在し、前記少なくとも１つの非イオン性乳化剤が約０．０１から約５重量％の量で存在し、（５）の任意成分が約０．００１から約２０重量％の量で存在し、前記水が前記製品の１００重量％までの残部である、請求項１２に記載の製品。
【請求項１６】
家具ケア製品、靴ケア製品、又は車ケア製品であって、
（ａ）少なくとも１つの圧縮ガス噴射剤と、
（ｂ）油中水（Ｗ／Ｏ）型乳濁液であって、
（１）少なくとも１つのアルカン炭化水素を含む、少なくとも１つの炭化水素溶媒と、
（２）少なくとも１つの皮膜形成成分と、
（３）約２から約６のＨＬＢ値を有する、少なくとも１つの非イオン性乳化剤と、
（４）ポリオール、糖、極性非プロトン性溶媒、及び両性界面活性剤のうちの１つ以上である、少なくとも１つの凍結融解安定剤と、
（５）水と、
（６）任意に香料成分、防腐剤、溶媒、界面活性剤、着色剤と、を含む油中水（Ｗ／Ｏ）型乳濁液と、を含み、
前記噴射剤及び前記Ｗ／Ｏ型乳濁液が１００重量％の量で存在し、
前記Ｗ／Ｏ型乳濁液は、凍結融解サイクルにさらされたときに壊れないか、又は壊れた乳濁液が形成される場合、壊れた乳濁液を振ることにより、Ｗ／Ｏ型乳濁液として再形成する、製品。
【請求項１７】
前記少なくとも１つの凍結融解安定剤が、グリセリン、エチレングリコール、マルチトール、スクロース、グルコース、ジメチルスルホキシド、及びラウリルジメチルアミンオキシドのうちの１つ以上である、請求項１６に記載の製品。
【請求項１８】
前記少なくとも１つの圧縮ガス噴射剤が約０．０１から約２重量％の量で存在し、前記少なくとも１つの炭化水素溶媒が約３から約４０重量％の量で存在し、前記少なくとも１つの皮膜形成剤成分が約０．０５から約２０重量％の量で存在し、前記少なくとも１つの凍結／解凍安定剤が約０．０１から約１０重量％の量で存在し、前記少なくとも１つの非イオン性乳化剤が約０．０１から約５重量％の量で存在し、前記水が前記製品の１００重量％までの残部である、請求項１６に記載の製品。
【発明の詳細な説明】
【技術分野】
【０００１】
本発明は、水と、少なくとも１つの炭化水素溶媒と、少なくとも１つの非イオン性乳化剤と、少なくとも１つの安定剤と、を含む、油中水（Ｗ／Ｏ）型乳化組成物であって、安定剤は、Ｗ／Ｏ型乳濁液への凍結融解安定性を提供する、Ｗ／Ｏ型乳化組成物に関する。Ｗ／Ｏ型乳化組成物が凍結融解サイクルにさらされると、凍結融解安定剤は、乳濁液の破壊を防ぐか、又は乳化組成物を含む容器を簡単に振ることにより乳濁液の再形成を可能にする。本発明の安定したＷ／Ｏ型乳化組成物は、洗浄及び／又は研磨組成物としての使用に特に適しており、より詳しくは、家具、靴及び自動車を洗浄及び／又は研磨するための組成物に有用である。
【背景技術】
【０００２】
典型的な油中水（Ｗ／Ｏ）型乳化組成物が凍結融解サイクルを通過すると、乳濁液は通常壊れ、即ち、水相が組成物全体に均一に分散されなくなり、組成物を保持する容器の底部には大量の水が残っていることが知られている。凍結融解サイクルは、通常、乳化組成物を含む製品の冬期の出荷又は倉庫保管中に発生する。これは、組成物がポンプスプレー、トリガースプレー、注ぎボトル又はスクイズボトルなどのエアロゾル形態又は非エアロゾル形態で送達されるかどうかに関わらず、組成物が消費者の期待する性能を提供する形態で送達されなくなるため、消費者製品にとって好ましくない。
【０００３】
凍結融解安定性のＷ／Ｏ型乳濁液は、乳濁液が凍結融解サイクルにさらされたときに、同じ乳化構造を保持できるか、又は乳濁液の破壊後、乳化組成物を保持する容器を簡単に振ることにより再形成できることが好ましい。これにより、使用者は、組成物の期待される望ましい性能を体験できる。
【０００４】
凍結融解安定性のＷ／Ｏ型乳濁液を提供するための１つの努力が、調理器具の潤滑剤製品に関する特許文献１に開示されている。凍結融解安定性のＷ／Ｏ型レシチン乳濁液が、凍結融解状態での繰り返しのサイクルにもかかわらず、水の多い水中油型異成分への「破壊的な」転換を抑制又は防止するために、成分と濃度の両方を制御して臨界酸価レベルを保持しているＷ／Ｏ型レシチン乳化系にポリオールを添加することを含む、凍結融解安定性のＷ／Ｏ型レシチン乳濁液が説明されている。安定したＷ／Ｏ型レシチン乳濁液が得られたが、説明のように「臨界酸価レベル」の厳しい要件により、記載された方法のその他の乳化系への適用が大幅に制限されている。
【０００５】
別の取り組みは、化粧品製品に関する特許文献２に開示されている。凍結融解安定性のシリコーン油中水型乳濁液が記載されている。凍結融解安定剤としてグリセリンを使用して、凍結融解サイクル後に乳濁液の破壊を防止した。他のポリオール、低級アルコール、有機酸塩又は無機塩を、グリセリンと組み合わせて、凍結融解安定性を改善した。この方法で凍結融解安定性の乳濁液が得られたが、独特なシリコーン油中水型乳濁液はコストが高いため、他の製品カテゴリーでは使用が困難である。
【０００６】
食品業界では、多くのＷ／Ｏ型乳化系の加工食品（例えば、ホイップトッピング、テーブルスプレッド、ソース）は、長期保管を改善するために冷凍し、その後、さらに加工又は消費するために解凍する。非特許文献１の論文では、凍結融解サイクル中のＷ／Ｏ型乳濁液の安定性に影響する要因、即ち、界面結晶化とネットワーク結晶化、及び結晶化イベントの順序（即ち、分散相と連続相、又はその逆）を評価した。不安定化は、液状の乳化剤と、分散相の前に固化する連続油相において最も明白であると報告された。凍結融解サイクルに対して安定な乳濁液は、乳化剤が油と水の界面で結晶化するとき、又は水相を分散させた後に連続相が結晶化されている乳濁液で得られた。この方法は、食品の良いガイダンスである可能性があるが、他の製品カテゴリーではそれほど効果的ではない。
【０００７】
家具ケア製品、靴ケア製品、及び車ケア製品では、ワックスとメタノールが凍結融解安定性のＷ／Ｏ型乳濁液を生成するための安定剤として機能する。しかし、これらの凍結融解安定剤は、通常、乳濁液の破壊を防ぐことはできないが、そのような乳濁液を保持している容器を簡単に振ることにより乳濁液の再形成を可能にする。凍結融解安定剤としてワックスを使用することの不利な点には、処理された表面に残ったワックスの蓄積と、塗布及び使用中に、組成物を完全に拭き取るために使用者がより大きな努力をする必要性がある。組成物にメタノールを含めると、ロシアなどの国で政府の規制問題が発生するだけでなく、製品の製造中に潜在的な安全上の問題が発生する。
【０００８】
従って、乳濁液の破壊を防ぐ、又は乳濁液の破壊後に乳化組成物を簡単に振ることによって乳濁液の再形成を可能にする乳化組成物は、特に規制上の問題や潜在的な安全上の問題を回避しながら、拭き取りも容易になり、家具ケア製品、靴ケア製品、及び車ケア製品において有利である。本発明は、凍結融解サイクルに対して安定であり、先行技術の問題に対処することができる、新しいＷ／Ｏ型乳化組成物を提供する。さらに、本発明は、凍結融解サイクルを通じて乳濁液が壊れた後、組成物を簡単に振ることによって再形成することができる、新しいＷ／Ｏ型乳化組成物を提供する。
【先行技術文献】
【特許文献】
【０００９】
【特許文献１】米国特許第４，０７３，４１１号明細書
【特許文献２】米国特許出願公開第２０１４／０１３５４０５号明細書
【非特許文献】
【００１０】
【非特許文献１】Ｓ．ＧｈｏｓｈとＤ．Ｒｏｕｓｓｅａｕ、「油中水型乳濁液の凍結融解安定性（Ｆｒｅｅｚｅ−ｔｈａｗ  ｓｔａｂｉｌｉｔｙ  ｏｆ  ｗａｔｅｒ−ｉｎ−ｏｉｌ  ｅｍｕｌｓｉｏｎｓ）」、Ｊｏｕｒｎａｌ  ｏｆ  Ｃｏｌｌｏｉｄ  ａｎｄ  Ｉｎｔｅｒｆａｃｅ  Ｓｃｉｅｎｃｅ、第３３９巻、２００９、第１号、ｐ．９１−１０２
【発明の概要】
【課題を解決するための手段】
【００１１】
本発明は、水と、少なくとも１つの炭化水素溶媒と、少なくとも１つの非イオン性乳化剤と、少なくとも１つの凍結融解安定剤と、を含む、油中水（Ｗ／Ｏ）型乳化組成物であって、Ｗ／Ｏ型乳化組成物が凍結融解サイクルにさらされると、乳濁液の破壊が防止されるか、又は一旦壊れた乳濁液が乳化組成物を含む容器を簡単に振ることにより再形成されることが可能になる油中水（Ｗ／Ｏ）型乳化組成物に関する。以下に記載するように、他の成分を乳化組成物に含めてもよい。
【００１２】
Ｗ／Ｏ型乳化組成物は、水相を油相に分散させることにより調製される。油相は、少なくとも１つの炭化水素溶媒と、少なくとも１つの非イオン性乳化剤とを含む。組成物に含めるために適した凍結融解安定剤は、（１）ポリオール、例えば、グリセリン、ソルビトール、及びマルチトール、（２）糖、例えば、グルコース及びスクロース、（３）極性非プロトン性溶媒、例えば、ジメチルスルホキシド（ＤＭＳＯ）、及び（４）両性化合物、例えば、ラウリルジメチルアミンオキシドである。使用する凍結融解安定剤の種類と、Ｗ／Ｏ型乳濁液の組成に応じて、より低い又はより高い濃度の凍結融解安定剤が使用される。一般に、より高い濃度の凍結融解安定剤は、乳濁液の破壊を防ぐために使用される一方、より低い濃度の安定剤は、乳化組成物を保持する容器を簡単に振ることにより乳濁液の再形成を可能にすることが理解できる。商業の世界では、このようなより低い濃度は、通常、より低いコストのために企業に好まれる。凍結融解安定剤の濃度が低すぎる場合、乳化組成物はその凍結融解安定性を失い、簡単に振っても乳濁液を再形成することができなくなる。
【００１３】
本発明のＷ／Ｏ型乳化組成物は、家具ケア製品、靴ケア製品、及び車ケア製品において特に有用である。Ｗ／Ｏ型乳濁液をその一部として含む、典型的な家具ケア製品、靴ケア製品、及び車ケア製品には、水と、少なくとも１つの炭化水素溶媒と、少なくとも１つの非イオン性乳化剤と、少なくとも１つの凍結融解安定剤と、任意に皮膜形成剤（例えば、シリコーン油）、香料成分、防腐剤、又は家具ケア、靴ケア、及び車ケアの洗浄及び／又は研磨組成物に含めるための従来の助剤のうちの１つ以上と、を含む。
【図面の簡単な説明】
【００１４】
【図１】図１は、凍結融解サイクルを通過する前の、凍結融解安定剤を含まない、即ち、液相が油相全体に均一に分散しているＷ／Ｏ型乳化組成物を示す。
【図２】図２は、図１のＷ／Ｏ型乳化組成物が凍結融解サイクルを通過した後、乳濁液が壊れた、即ち、水相の一部が油相から分離し、容器の底部に見られることを示す。
【発明を実施するための形態】
【００１５】
凍結融解安定性の油中水（Ｗ／Ｏ）型乳化組成物が記載されている。これらの安定な乳濁液は、「凍結融解安定剤」と呼ばれる機能性成分のうちの一種を使用して提供される。これらの凍結融解安定剤は、凍結融解サイクルにさらされた後の乳濁液の破壊を防ぐか、又は乳濁液の破壊後に、壊れた乳濁液を保持している容器を簡単に振る（即ち、手動又は手で振る）ことにより乳濁液の再形成を可能にする。図１は、炭化水素溶媒と、非イオン性乳化剤と、水とを含むが、凍結融解安定剤を含まない、Ｗ／Ｏ型乳化組成物を示し、ここで、水相が油相に均一に分散している、即ち、乳濁液が壊れていない。図２は、凍結融解サイクルにさらされた後、乳濁液が壊れた、即ち、水相の一部が乳化組成物から分離し、そして現在容器の底部に存在することを示す。本発明の凍結融解安定剤の少なくとも１つがＷ／Ｏ型乳化組成物中に含まれる場合、凍結融解安定剤の濃度によって乳濁液は、凍結融解サイクルにさらされても壊れずに図１に示すように保持されるか、図２に示すように壊れても乳化組成物を保持する容器を簡単に振ることにより、図１に示す乳濁液として再形成できる。どちらの場合でも、消費者は、使用時に乳化組成物の期待される性能を継続して体験することができる。
【００１６】
使用時に、本発明の凍結融解安定剤が特に有益である乳化組成物は、家具、靴、及び自動車を洗浄及び／又は研磨するための組成物などの、家具ケア製品、靴ケア製品、及び車ケア製品である。Ｗ／Ｏ型乳濁液に基づく、家具ケア製品、靴ケア製品、及び車ケア製品は、一般に、水と、炭化水素溶媒と、非イオン性乳化剤と、任意に皮膜形成剤、香料成分、防腐剤、及び家具、靴、自動車を洗浄及び／又は研磨するための製品に従来から含まれている他の添加剤のうちの１つ以上と、を含む。
【００１７】
Ｗ／Ｏ型乳化組成物に含めるための本発明の凍結融解安定剤には、（ａ）ポリオール（即ち、少なくとも２つのヒドロキシル基を有する化合物）、例えば、グリセリン、エチレングリコール、ソルビトール及びマルチトール、（ｂ）糖、例えば、グルコース及びスクロース、（ｃ）極性非プロトン性溶媒、例えばジメチルスルホキシド（ＤＭＳＯ）、及び（ｄ）両性化合物、例えば、ラウリルジメチルアミンオキシドが含まれる。一般に、乳化組成物に高濃度の凍結融解安定剤を含めると、Ｗ／Ｏ型乳濁液が壊れるのを防ぐことができる一方、安定剤の濃度が低いと、乳化組成物を保持する容器を簡単に振ることにより、壊れた乳濁液の再形成を可能にする。凍結融解安定剤の濃度が低すぎる場合、乳濁液が凍結融解に安定ではない、即ち、乳濁液は、凍結融解サイクルで壊れた後、簡単に振っても、乳濁液を再形成することができない。従って、凍結融解安定性を可能にするために必要な最小濃度がある。凍結融解安定剤の最小濃度は、乳化系によって異なってもよい。使用のための好ましい濃度範囲は、凍結融解安定剤の約０．０１から約１０重量％であり、より好ましい濃度範囲は約０．１から約２重量％であり、最も好ましい範囲は約０．１から約１重量％である。凍結融解安定剤は、単独で又は組み合わせて使用してもよい。
【００１８】
本明細書及び特許請求の範囲で使用される総Ｗ／Ｏ型乳化組成物の重量パーセント（重量％）は、１００重量％に基づく。与えられた材料の重量％は、特に明記しない限り、材料の有効成分の重量％に基づく。
【００１９】
Ｗ／Ｏ型乳化組成物での使用に適した炭化水素溶媒について、特に家具、靴、自動車を洗浄及び／又は研磨するための製品として有用な乳化組成物は、基板表面から溶媒可溶性残存物を除去するための従来の家具ケア組成物、靴ケア組成物及び車ケア組成物で一般に使用されることが知られているものである。単独又は組み合わせで有用な炭化水素溶媒の例には、飽和炭化水素溶媒（例えば、アルカン）及び不飽和炭化水素溶媒（例えば、アルケン、アルキン及び芳香族）が含まれるが、これらに限定されない。
【００２０】
エクソンモービルから「ＩＳＯＰＡＲ」（商品名）又は「ＥＸＸＳＯＬ」（商品名）で市販されているものや、シェブロンフィリップスから「ＳＯＬＴＲＯＬ」（商品名）で市販されているイソパラフィン系炭化水素溶媒など、さまざまな市販の飽和炭化水素溶媒は、現在、ほとんど臭いがないので好ましい。好ましい溶媒は、より短い炭素長（即ち、Ｃ１０以下）を有するものである。
【００２１】
他の適切な飽和炭化水素溶媒には、ペンタン、ヘキサン、ヘプタン、ナフサ、石油スピリット及び鉱油が含まれる。
単独又は組み合わせに有用な不飽和炭化水素溶媒の例には、ターペンタイン、トルエン及びキシレンが含まれるが、これらに限定されない。
【００２２】
様々な飽和炭化水素溶媒及び不飽和炭化水素溶媒を、単独で又は組み合わせて利用してもよい。１つ以上の溶媒は、好ましくは約３から約４０重量％、より好ましくは約５から約２０重量％、最も好ましくは約８から約１２重量％の量で存在する。
【００２３】
家具、靴及び自動車を洗浄及び／又は研磨するための製品を含む本発明のＷ／Ｏ型乳化組成物は、乳濁液を生成するための少なくとも１つの非イオン性乳化剤を含む。
乳濁液は、乳化剤と呼ばれる物質の割合がわずかである懸濁液に保持された２つ以上の相互に混和しない液体の安定した混合物を含む。全てのＷ／Ｏ型乳濁液は、連続した油相と、連続した油相全体に分散している不連続な水相とを含む特徴がある。
【００２４】
使用に適した非イオン性乳化剤には、一般に、家具ケア製品、靴ケア製品、及び車ケア製品に使用されているものが含まれる。このような従来の乳化剤は、単独で又は組み合わせて使用してもよい。使用に好ましい乳化剤は、約２から約６の親水性−親油性バランス（ＨＬＢ）値を有する。
【００２５】
単独又は組み合わせに有用な非イオン性乳化剤の例には、オレイン酸及びラウリン酸のソルビタンエステル、２０以下のエトキシ単位を有するポリエトキシル化ソルビタンエステル、脂肪形成脂肪酸のモノグリセリド及びジグリセリド、並びにそれらの組み合わせが含まれるが、これらに限定されない。
【００２６】
任意の市販の非イオン性乳化剤の追加の例には、現在クローダ株式会社から市販されている「ＳＰＡＮ」（商品名）及び「ＴＷＥＥＮ」（商品名）で販売されている乳化剤が含まれる。このような乳化剤の特定の例には、モノオレイン酸ソルビタン、モノラウリン酸ソルビタン、及びモノパルミチン酸ソルビタンが含まれる。前記の様々な乳化剤の混合物も利用してもよい。
【００２７】
少なくとも１つの非イオン性乳化剤は、好ましくは約０．０１から約５重量％、より好ましくは約０．１から約２重量％、最も好ましくは約０．１から約１重量％の量で存在する。
【００２８】
乳濁液の液相を構成する水成分は、脱イオン水、逆浸透水、蒸留水、水道水などであってもよい。水は、乳化組成物１００重量％に基づいて、その残部を構成し、好ましくは約１０から１００重量％未満、より好ましくは約５０から約９５重量％、最も好ましくは約７０から約９０重量％の量で存在する。
【００２９】
本発明の乳化組成物には、１つ以上の特定の任意材料も含まれてもよい。
本発明での使用に適した皮膜形成剤には、シリコーン及びワックスが含まれる。それらは、表面に強化された輝き／光沢を提供することができる。
【００３０】
本発明において有用なシリコーンは、約５から約５，０００センチストークス（ｃＳｔ）（約５×１０−６〜約５×１０−３ｍ２／ｓ）、好ましくは約１００から１０００ｃＳｔ（約１×１０−４〜１×１０−３ｍ２／ｓ）の粘度を有する低粘度のシリコーン流体を含む。
【００３１】
本発明において有用なシリコーンは、シリコーン技術において知られている任意の有機基に置換してもよい。さらに注目されるのは、シリコーンガムである。シリコーンガムは、通常、架橋によってその高度な可塑性の状態から主に弾性の状態に変換できる、高分子量の直鎖ポリシロキサン又はシリコーンを指す。
【００３２】
シリコーン成分は、好ましくは約０．１から約２０重量％、より好ましくは約１から約１１重量％、最も好ましくは約３から約７重量％の量で存在する。
使用に適した従来のワックスには、マイクロクリスタリンワックス及び石油ワックスなどの特定の合成ワックス、並びに「カルナウバ」ワックスなどの特定の天然ワックスが含まれるが、これらに限定されない。ワックス成分は、乳化組成物の総重量に基づいて、好ましくは約０．０５から約２．０重量％のワックス、好ましくは約０．０５から約０．５重量％のワックスの量で存在する。
【００３３】
溶媒、界面活性剤、香料成分、防腐剤、及び着色剤が含まれるが、これらに限定されないさらに他の既知の添加剤のうちの１つ以上を、乳化組成物に添加してもよい。
乳濁液の洗浄力を高めるために溶媒を含んでもよい。使用に適した溶媒の例には、エチルアルコールなどの酸素化溶媒が含まれるが、これに限定されない。
【００３４】
乳濁液の洗浄力を高めるために界面活性剤を含んでもよい。使用に適した界面活性剤の例には、陰イオン性界面活性剤、陽イオン性界面活性剤、及び両性界面活性剤が含まれる。
【００３５】
有用な陰イオン性界面活性剤の例には、特定のアルカリ金属アルキル硫酸塩（例えば、ラウリル硫酸ナトリウム）及びアルカリ金属アルキルエーテル硫酸塩、付着したポリエチレングリコール部分を含むスルホコハク酸塩、及びアルキルアリールスルホン酸塩が含まれるが、これらに限定されない。これらの界面活性剤の混合物も本発明で利用してもよい。
【００３６】
使用に適した陽イオン性界面活性剤の例としては、ハロゲン化第四アンモニウム、硫酸第四アンモニウムなどの特定の第四アンモニウム化合物、エトキシル化され、約２から約１０モルのエチレン酸化物を有する、いわゆる「脂肪」アミン、及びそのようなアミンの酢酸塩又は塩化物塩が含まれる。前記の界面活性剤の様々な混合物又は組み合わせも利用してもよい。
【００３７】
使用に適した両性界面活性剤の例には、コカミドプロピルベタインが含まれるが、これに限定されない。両性界面活性剤が乳化系に含まれている場合、この両性化合物は、同時に凍結融解安定剤として機能する可能性がある。凍結融解安定性を可能にするために追加の凍結融解安定剤は必要ではない場合がある。
【００３８】
香料成分は、所望の香りを与える香料又は香水のうちの１つ、又はそれらの混合物を含むと理解される。使用に適した従来の香料成分は、当業者によく知られており、従って、本明細書では詳細に説明しない。香料成分は、典型的には、所望の香り強度を付与するために有効な量で存在し、例えば、好ましくは乳化組成物の約０．０１から約１０重量％、より好ましくは約０．０１から約１重量％の範囲内であってもよい。
【００３９】
市販されている防腐剤は、ブロノポール（２−ブロモ−２−ニトロプロパン−１，３−ジオール）のような乳化組成物の保存寿命を伸ばすために含んでもよく、ブロノポールは、例えば、ＢＡＳＦによるＰＲＯＴＥＣＴＯＬ  ＢＮ（商品名）、ダウケミカルカンパニーによるＢＩＯＢＡＮ  ＢＰ−ＰＬＵＳ（商品名）で販売されている。防腐剤は、好ましくは約０．００１から約５重量％の量で存在してもよい。
【００４０】
本発明の少なくとも１つの凍結融解安定剤を含む、家具ケア乳化製品、靴ケア乳化製品、又は車ケア乳化製品は、ポンプスプレー、トリガースプレー、注ぎボトル又はスクイズボトルなどの、エアロゾル又は非エアロゾルである。
【００４１】
エアロゾルの家具ケア製品、靴ケア製品、又は車ケア製品は、Ｗ／Ｏ型乳化組成物の中間組成物及び噴射剤を含む。噴射剤は、例えば、窒素、空気、二酸化炭素、亜酸化窒素、アルゴン、又はそれらの混合物などの圧縮ガス噴射剤、又は、炭化水素（例えば、ブタン、プロパン、イソブタン、及びそれらの混合物）、ジメチルエーテル、メチルエチルエーテルなど、使用が従来から知られている液体又は液化石油ガス（ＬＰＧ）のうちの１つ以上であってもよい。１つ以上の噴射剤は、エーロゾルの処方組成物全体に基づいて、約０．１から約２５重量％の量で、製品中に存在する。圧縮ガス噴射剤は、一般に、約０．１から約２重量％、より好ましくは約０．５から約１重量％のより低い範囲で存在する。ＬＰＧ噴射剤は、約４から約２５重量％、より好ましくは約６から約１５重量％のより高い範囲で存在する。
【００４２】
Ｗ／Ｏ型乳濁液のいくつかの基剤処方を以下に示す。それらは、一般に、家具ケア製品、靴ケア製品、及び車ケア製品によく見られる。これらの基剤処方には凍結融解安定剤が含まれていない。
【００４３】
【表１】
2021502894.tif 000003
【００４４】
【表２】
2021502894.tif 000004
【００４５】
【表３】
2021502894.tif 000005
【００４６】
【表４】
2021502894.tif 000006
【００４７】
【表５】
2021502894.tif 000007
【００４８】
本発明の凍結融解安定剤を、選択された濃度で、前記の処方基剤Ａ〜Ｅに加えた。これらの試験サンプルは、ガラス容器に基剤処方及び選択した凍結融解安定剤を充填することにより調製した。次に、試験サンプルを−１８℃の冷凍庫に少なくとも１２時間保管した。次に、試験サンプルを室温（即ち、約２２℃）で少なくとも６時間、又は試験サンプルの温度が室温に達するまで解凍した。試験サンプルを検査した。乳濁液が壊れたとき、試験サンプルを手で振ることにより乳濁液を再形成できるかどうかを調べた。試験結果を以下の表１にまとめる。
【００４９】
【表６】
2021502894.tif 000008
【００５０】
試験サンプル１〜８は、本発明の凍結融解安定剤の有効性を実証するように設計された。これらの試験サンプルには、基剤Ａの処方が含まれている。基剤Ａには、Ｗ／Ｏ型乳濁液の形成に不可欠な３つの必須成分が全て含まれている。基剤Ａは、凍結融解に安定ではない。基剤Ａが凍結融解サイクルを通過した後、乳濁液が壊れ、容器を振っても再形成できなかった。しかし、以下の凍結融解安定剤：グリセリン、エチレングリコール、Ｄ−ソルビトール、スクロース、グルコース、ＤＭＳＯ及びラウリルジメチルアミンオキシドのうちの１つを添加することにより、基剤Ａに凍結融解安定性が付与された。
【００５１】
試験サンプル９〜１９は、本発明の凍結融解安定剤が任意の成分を含有する様々な乳化系で機能できることを実証するように設計された。
試験サンプル９〜１０には、基剤Ｂの処方が含まれている。基剤Ｂの処方には、任意の皮膜形成剤としてのシリコーン１００ｃＳｔが含まれている。基剤Ｂは、凍結融解に安定ではないが、基剤Ｂに１．０重量％のグリセリンを添加すると、乳濁液の破壊後、簡単に振ることにより乳濁液を再形成できた。
【００５２】
試験サンプル１１〜１２には、基剤Ｃの処方が含まれている。基剤Ｃの処方には、任意の陰イオン性界面活性剤としてのラウリル硫酸ナトリウムが含まれている。基剤Ｃは凍結融解に安定ではないが、基剤Ｃに２．０重量％のグリセリンを添加すると、試験サンプル１２は、凍結融解サイクル後に乳濁液が壊れるのが防止された。
【００５３】
試験サンプル１３〜１４には、基剤Ｄの処方が含まれている。基剤Ｄの処方には、任意の溶媒としてのエタノールが含まれている。基剤Ｄは凍結融解に安定ではないが、１．０重量％のグリセリンを添加すると、試験サンプル１４は、乳濁液の破壊後、簡単に振ることにより乳濁液を再形成できた。
【００５４】
試験サンプル１５〜１９には、基剤Ｅの処方が含まれている。基剤Ｅの処方には、２つ以上の炭化水素溶媒、及び任意の香料が含まれている。基剤Ｅに０．５重量％のグリセリンを添加したとき、凍結融解試験後に乳濁液はまだ壊れていた。しかし、この同じ濃度で、グリセリンは、基剤Ａへの凍結融解安定性を可能にした（試験番号２を参照）。グリセリンの濃度を、基剤Ｅの処方で、１．０重量％に増やした後、簡単に振ることにより乳濁液を再形成した。これは、それぞれの異なる乳化系について、凍結融解サイクルで乳濁液が壊れた後に乳濁液を再形成するための安定剤の最小濃度が互いに異なり得ることを示す。グリセリンの濃度が基剤Ｅの処方で３．０重量％にさらに増加したとき、乳濁液は、凍結融解サイクル後に安定した。これは、安定剤が乳濁液の破壊を防ぐことができる別の臨界濃度があることを示した。試験サンプル１９では、２つの凍結融解安定剤を共に使用した。グリセリンは１．０重量％で含まれ、Ｄ−ソルビトールは２．０重量％で含まれていた。このような凍結融解安定剤によって、凍結融解サイクル後に乳濁液の破壊を防止した。
【００５５】
好ましい本発明のエーロゾル処方例を以下に示す。
【００５６】
【表７】
2021502894.tif 000009
【００５７】
本明細書に開示される例示的な実施形態は、網羅的であること、又は本発明の範囲を不要に制限することを意図していない。当業者が本発明を実施できるように本発明の原理を説明するために、例示的な実施形態を選択して説明した。当業者には明らかなように、前述の説明の範囲内で様々な修正を行うことができる。当業者の能力の範囲内であるそのような修正は、本発明の一部を形成し、添付の特許請求の範囲に含まれる。
【図１】
2021502894.tif 000010
【図２】
2021502894.tif 000011
【国際調査報告】
2021502894.tif 000012
2021502894.tif 000013